(57)【要約】【課題】支持する板状体の形状、特に厚さの変化に柔軟に対応可能な小型のボードスタンドを得る。【解決手段】一対の挟持壁の間に、板状体を支持するボードスタンドであって、上記一対の挟持壁の少なくとも一方は、平板復元性を有する合成樹脂材料からなる一連の弾性壁及び底壁に連なっていて、上記底壁と上記弾性壁、上記弾性壁と上記挟持壁はそれぞれ、平板展開状態の板材を塑性曲折加工によって互いに鋭角をなして谷折りされており、上記弾性壁は、上記一方の挟持壁を他方の挟持壁に向かって押し付けるように弾性変形させられており、上記挟持壁の上記底壁側の端部は、上記一方と他方の挟持壁の間隔が変化する方向に上記底壁にスライド可能に係合しているボードスタンド。【選択図】図１
2018041005.tif 000002
【特許請求の範囲】
【請求項１】
一対の挟持壁の間に、板状体を支持するボードスタンドであって、
上記一対の挟持壁の少なくとも一方は、平板復元性を有する合成樹脂材料からなる一連の弾性壁及び底壁に連なっていて、上記底壁と上記弾性壁、上記弾性壁と上記挟持壁はそれぞれ、平板展開状態の板材を塑性曲折加工によって互いに鋭角をなして谷折りされており、
上記弾性壁は、上記一方の挟持壁を他方の挟持壁に向かって押し付けるように弾性変形させられており、
上記挟持壁の上記底壁側の端部は、上記一方と他方の挟持壁の間隔が変化する方向に上記底壁にスライド可能に係合していることを特徴とするボードスタンド。
【請求項２】
請求項１記載のボードスタンドにおいて、一対の挟持壁、底壁及び一対の弾性壁が一連の板材によって、上記一対の挟持壁を中心に左右対称に形成されているボードスタンド。
【請求項３】
平板復元性を有する合成樹脂材料からなる一連の底壁、該底壁の両側に連なる一対の弾性壁及び該弾性壁の両側に連なる一対の挟持壁を有する平板素材からなること；
上記底壁と一対の上記弾性壁、及び一対の上記弾性壁と一対の上記挟持壁はそれぞれ平板展開状態の板材を塑性曲折加工によって互いに鋭角をなすように谷折りされていること；
上記一対の弾性壁は、上記一対の挟持壁を互いに接触させる方向の力を生じるように弾性変形させられていること；及び
上記一対の挟持壁の上記底壁側の端部には、該底壁とスライド可能に係合するスライド係合部が形成されていること；
を特徴とするボードスタンド。
【請求項４】
請求項３記載のボードスタンドにおいて、上記底壁は、上記一対の挟持壁側に凸に弾性変形させられているボードスタンド。
【発明の詳細な説明】
【技術分野】
【０００１】
本発明は、例えばメニュー板、写真等の板状体を保持するボードスタンドに関する。
【背景技術】
【０００２】
例えばレストランのメニュースタンドは、自立可能なスタンド本体に、板状のメニュー板を挿入する溝部を形成してなっている。スタンド本体や溝部の形状については工夫があり、種々提案されているが、可動部分がないか極めて少ないため、意匠出願の対象（特許文献１、２）ではあっても、特許（実用新案登録）出願の対象とはされないのが実情であった。スタンド部分（脚部）を使用状態と収納状態との間で可動とした特許出願（特許文献３）が存在するが、大型であり、小型のテーブルや机の上に置いて使うという使用態様に適用することは困難である。いずれにしても、溝部の形状は支持する板状体の形状に対応して定められており、異なる大きさ、特に異なる厚さの板状体に柔軟に対応することはできなかった。
【先行技術文献】
【特許文献】
【０００３】
【特許文献１】意匠登録第１３４３１４８号公報
【特許文献２】意匠登録第１１１９６７７号公報
【特許文献３】特開２００３−３２２２９４号公報
【発明の概要】
【発明が解決しようとする課題】
【０００４】
本発明は、支持する板状体の形状、特に厚さの変化に柔軟に対応可能な小型のボードスタンドを得ることを目的とする。
【課題を解決するための手段】
【０００５】
本発明は、一対の挟持壁の間に、板状体を支持するボードスタンドであって、上記一対の挟持壁の少なくとも一方は、平板復元性を有する合成樹脂材料からなる一連の弾性壁及び底壁に連なっていて、上記底壁と上記弾性壁、上記弾性壁と上記挟持壁はそれぞれ、平板展開状態の板材を塑性曲折加工によって互いに鋭角をなして谷折りされており、上記弾性壁は、上記一方の挟持壁を他方の挟持壁に向かって押し付けるように弾性変形させられており、上記挟持壁の上記底壁側の端部は、上記一方と他方の挟持壁の間隔が変化する方向に上記底壁にスライド可能に係合していることを特徴としている。
【０００６】
上記一対の挟持壁、底壁及び一対の弾性壁は、一連の板材によって、上記一対の挟持壁を中心に左右対称に形成することができる。
【０００７】
本発明は、別の表現によると、平板復元性を有する合成樹脂材料からなる一連の底壁、該底壁の両側に連なる一対の弾性壁及び該弾性壁の両側に連なる一対の挟持壁を有する平板素材からなること；上記底壁と一対の上記弾性壁、及び一対の上記弾性壁と一対の上記挟持壁はそれぞれ平板展開状態の板材を塑性曲折加工によって互いに鋭角をなすように谷折りされていること；上記一対の弾性壁は、上記一対の挟持壁を互いに接触させる方向の力を生じるように弾性変形させられていること；及び上記一対の挟持壁の上記底壁側の端部には、該底壁とスライド可能に係合するスライド係合部が形成されていること；を特徴としている。
【０００８】
上記底壁は、上記一対の挟持壁側に凸に弾性変形させられていることが好ましい。
【発明の効果】
【０００９】
本発明によれば、支持する板状体の形状、特に厚さの変化に柔軟に対応可能な小型のボードスタンドを得ることができる。
【図面の簡単な説明】
【００１０】
【図１】本発明によるボードスタンドの一実施形態を示す組立状態の斜視図である。
【図２】本発明によるボードスタンドを構成する板状体の塑性曲折加工前の展開図である。
【図３】図２の板状体に塑性曲折加工を施した後、板材そのものには外力を加えない状態の一形態を示す断面図（端面図）である。
【発明を実施するための形態】
【００１１】
図１ないし図３は、本発明によるボードスタンド１０の好ましい実施形態の一つを示している。本実施形態のボードスタンド１０は、一連の弾性を有する透明合成樹脂材料（例えばペット樹脂）板を曲折形成してなるもので、図１は組立状態、図２は曲折加工及び組立前の平板状態、図３は曲折後の板材の各平板部が自身の弾性により平板状態に復帰させた一自由状態を示している。「弾性」とは、平板状の板材が曲折されたとき平板（平面）状に戻ろうとする性質（復元力、平板復元性）を言う。本明細書において、「ボード」とは、カード、パネルなど厚さの異なる板状体を総称し、紙類、プラスチック類などの素材、構造を問わない。
【００１２】
ボードスタンド１０の平板素材１０Ｐは、図２に示すように、中心の矩形の底壁１１と、この底壁１１の両側に谷折り線（稜線）１１Ｖを挟んで位置させた一対の弾性壁１２と、一対の弾性壁１２の外側（底壁１１の反対側）に谷折り線（稜線）１２Ｖを挟んで位置させた挟持壁１３とを有している。一対の弾性壁１２と、一対の挟持壁１３はそれぞれ同一形状であり、底壁１１にはその左右方向の両端部に、左右方向の幅を中心部に向けて徐々に減じる徐変幅狭部１１ａが形成されている。一対の弾性壁１２は、単純な長方形（矩形）であり、一対の挟持壁１３の自由端部には、その左右端部に、底壁１１の徐変幅狭部１１ａに係止されるスライド係合部１３ａが形成されている。スライド係合部１３ａは、底壁１１の徐変幅狭部１１ａの端部を受け入れるフック部１３ｂを有している。徐変幅狭部１１ａは、スライド係合部１３ａの係合（係止、組立）を容易（可能）にする。
【００１３】
以上の平板素材１０Ｐは、谷折り線１１Ｖと谷折り線１２Ｖにおいて、加熱または手曲げすることにより、谷折りの塑性曲折加工が施され、例えば図３に示される断面形状に加工される。「塑性曲折加工」とは、加工後の自由状態で（外力を加えなくても）、変形状態を維持する曲折態様を言う。図３の右半分は、底壁１１、弾性壁１２，挟持壁１３のいずれにも外力が加わらない（加わる外力が最も小さい）状態の一例であり、底壁１１、弾性壁１２及び挟持壁１３がそれぞれ平板形状（あるいは最も平板に近い形状）をなしている。つまり、底壁１１、弾性壁１２及び挟持壁１３はすべて、自由状態（外力が加わらない状態）では平板に戻ろうとする性質を持っている。このときの底壁１１と弾性壁１２のなす角度をα、弾性壁１２と挟持壁１３のなす角度をβとする。なお、図３の左半分は、右半分の自由状態の底壁１１、弾性壁１２及び挟持壁１３によって、自由状態より若干開かれた状態を描いている。
【００１４】
以上の塑性曲折加工が施された平板素材１０Ｐは、弾性壁１２と挟持壁１３を弾性変形させながら、挟持壁１３の左右のスライド係合部１３ａのフック部１３ｂを、底壁１１の徐変幅狭部１１ａの両端部に係合させ、一対の挟持壁１３を対向（接触）させた図１の状態が組立状態である。この組立状態では、一対の弾性壁１２はそれぞれの挟持壁１３が谷折り線１１Ｖ（下方曲折縁）から離れる方向に外側に凸に大きく弾性変形させられており、平板状に復帰しようとする力により一対の挟持壁１３が垂直状態で互いに接触する。すなわち、上方に凸に大きく弾性変形させられた弾性壁１２は、平板状態に戻ろうとし、挟持壁１３の下端部は上方に移動しようとする。しかし、挟持壁１３のスライド係合部１３ａは底壁１１の徐変幅狭部１１ａに係合していて上方に移動することはできないため、挟持壁１３は全体が底壁１１に沿って矢印Ｘで示すように移動することとなる。挟持壁１３は対向する一対が備えられているから、その間隔を挟持壁１３の間に挿入される板状体Ｃの厚さに従って変化させることができる。
【００１５】
また、底壁１１は、その徐変幅狭部１１ａに挟持壁１３のフック部１３ｂが係合することで、上側に凸に弾性変形させられる。すなわち、一対のフック部１３ｂの下側エッジ１３ｂ１が底壁１１（徐変幅狭部１１ａ端部）の下面に弾接する。そして、図１の組立状態における底壁１１と弾性壁１２のなす角度α’と弾性壁１２と挟持壁１３のなす角度β’は、これらが自由状態においてなす角度α、βより若干小さくなり（α’＜α、β’＜β）、この角度が小さくなることで、一対の挟持壁１３の接近力が高まる。また、底壁１１が平板状に復帰しようとする力もまた、一対の挟持壁１３に互いに接近する方向の力を与える。別言すれば、底壁１１、弾性壁１２及び挟持壁１３の寸法は、組立状態において、各要素が以上の作用をするように、定められている。
【００１６】
以上のボードスタンド１０は、挟持するボードＣの中心平面をＳとしたとき、その中心平面Ｓを中心とする前後対称形状をなしており、中心平面Ｓを跨いで前後両側に対称に底壁１１が延び、底壁１１の前後方向の両端部に、谷折り線１１Ｖで上方に鋭角に谷折りに塑性曲折した弾性壁１２が位置し、この一対の弾性壁１２の上端部に、谷折り線（上方曲折縁）１２Ｖで下方に鋭角に谷折りに塑性曲折した挟持壁１３が位置している。
【００１７】
以上のボードスタンド１０は、一対の挟持壁１３の間に、ボード（例えばメニュー板）Ｃを挟着し、底壁１１の前後端部の谷折り線（下方曲折縁）１１Ｖを載置面（例えばテーブル）に置いた状態で使用することができる。一対の挟持壁１３は、スライド係合部１３ａのフック部１３ｂを底壁１１の徐変幅狭部１１ａの端部に対してスライドさせることにより間隔を変更することができる。このため、ボードＣの厚さを選ぶことなく、使用できるという利点がある。以上のボードスタンドの使用態様では、ボードスタンド１０の材質は、不透明であってもよく、あるいは挟持壁１３のボードＣに当接する部分のみを透明とし、残部は不透明であってもよい。底壁１１の徐変幅狭部１１ａは、全体またはスライド係合部１３ａのフック部１３が係合しスライドする領域を直線としてもよい。また、弾性壁１２に適宜形状の孔を形成し、例えばペンスタンドとして利用することができる。
【００１８】
一方、以上のボードスタンド１０は、一対の挟持壁１３の間にボードＣの下端部を挟んで使用する態様の他、ボードＣの全体を一対の挟持壁１３の間に挟み込む大型の（縦型の）ボードホルダ（あるいは写真立て）として使用することができる。この変形例では、少なくとも一方の挟持壁１３を透明樹脂材料から構成することにより挟持壁１３を通して写真を視認する。
【００１９】
以上の実施形態は、底壁１１、弾性壁１２、挟持壁１３を前後対称形状とした外見上バランスのよい実施形態であるが、厳密な前後対称形状は不要である。さらに弾性壁１２と挟持壁１３は、底壁１１の左右に一対がそれぞれ備えられているが、一方を省略する（一方の挟持壁を固定とする）態様も可能である。
【符号の説明】
【００２０】
Ｃ  ボード
Ｓ  中心平面
１０  ボードスタンド
１０Ｐ  平板素材
１１  底壁
１１Ｖ  谷折り線（下方曲折縁、脚部）
１１ａ  徐変幅狭部
１２  弾性壁
１２Ｖ  谷折り線（上方曲折縁）
１３  挟持壁
１３ａ  スライド係合部
１３ｂ  フック部
１３ｂ１  下側エッジ
【図１】
2018041005.tif 000003
【図２】
2018041005.tif 000004
【図３】
2018041005.tif 000005